(57)【要約】      （修正有）【課題】木製の格子状基本ユニットを格子接続角棒にて連続した形状に結合することにより、大形で、自由なデザインを任意に形成でき、しかも通気性が可能な立体格子組子による機能性仕切り部材を提供する。【解決手段】芳香性、殺菌性を持つ木材製棒状格子１を組み立てた立方体を縦横二方向に１０〜１００組連続的な構造に形成して、立方体の縦一方向の中間位置に正方体の連続格子体を組み込み、立方体の中心位置に正方体の格子交差点となるようにして、当該交差点から連結していない棒状格子を立方体外面の同位置まで張出した状態の格子状基本組子ユニット９であって、この格子状基本組子ユニットを幅方向に連続的に１〜３ユニットに構成された格子組子構成体にして、これら各ユニットを縦横上下に使用される基本組子ユニットの幅を枠体によって固定し、表面状態を構成する。【選択図】図２
0003192392.tif 000002
【実用新案登録請求の範囲】
【請求項１】
芳香性、殺菌性を持つ木材製棒状格子を組み立てた立方体を縦横二方向に１０〜１００組連続的な構造に形成して、前記立方体の縦一方向の中間位置に正方体の連続格子体を組み込み、立方体の中心位置に正方体の格子交差点となるようにして、当該交差点から連結していない棒状格子を立体体外面の同位置まで張出した状態の格子状基本組子ユニットであって、前記格子状基本組子ユニットを幅方向に連続的に１〜３ユニットに構成された格子組子構成体にして、これら各ユニットを縦横上下に使用される基本組子ユニットの幅を枠体によって固定されている格子組子構成体とからなる組立格子ユニット立体組子を表面状態に構成されていることを特徴とする立体格子組子による機能性仕切り部材。
【請求項２】
芳香性、殺菌性を持つ木材製棒状格子は、材料としてヒバ、ヒノキ、スギであって、４〜１２ｍｍの角棒材の各格子の表面に木目調絞付けを行い、結合した連続面として継目が目立たないように棒状格子を連続的に組み立てていることを特徴とする請求項１記載の立体格子組子による機能性仕切り部材。
【請求項３】
連続的組み立て立方体は、一つの組み体の立方体を一辺２０〜８０ｍｍの寸法の立方形であって、中間部に正方形を組み立てた状態でなっている格子状基本組子ユニットであって、結合した連続面として継目が目立たない立方体組み立て組子の状態にして、格子の交差部に位置する接続角棒には、相嵌合するような切欠き部を二面で形成されていることを特徴とする請求項１又は請求項２に記載の立体格子組子による機能性仕切り部材。
【請求項４】
基本組子ユニットを組み立てる場合には、格子状基本組子ユニット間の格子表面側に凹溝部と反対側の格子裏面に掘り込み溝部を設け、該溝部同志を相嵌合できる接続格子角棒間ではめ込んで結合一体化した連続的格子状基本組子ユニットを形成されていることを特徴とする請求項１〜請求項３のいずれかに記載の立体格子組子による機能性仕切り部材。
【請求項５】
立体格子組子による機能性仕切り部材は、部屋内での仕切りの役目を果たすとともに、通気性を持たせる上に、芳香性を発生できる仕切り部材で構成された長さ９００〜１００００ｍｍ、高さ１０００〜２５００ｍｍの形状である障子、引戸、ドアー、欄干、扉、フェンス、パーティション、衝立、又は建具に使用できることを特徴とする請求項１〜請求項３のいずれかに記載の立体格子組子による機能性仕切り部材。
【考案の詳細な説明】
【技術分野】
【０００１】本考案は組立格子ユニット製建具に関し、詳しくは、木製立体組子でできた障子、引戸、ドアー、欄干、扉、フェンス、パーティション等に基本ユニット部品を連続結合して大形品とする組立格子ユニット製建具に関する。特に軽量で製作が容易で安価なものであり、住宅内に生ずる臭気を消し通気性と空気浄化性を具備する軽量な立体格子組子による機能性仕切り部材に関する。
【背景技術】
【０００２】最近の住宅事情を見るとき、マンションなどの集合住宅や一戸建の住宅の仕様として、洋風、和風と千差万別であるが、各部屋の間取りについてはその仕切りを壁やドアとするか、純和風の障子や襖、戸襖とするかはその住宅構造にもよるが、障子、引戸、欄干、扉、パーティション、戸襖などで設計される家も多い。【０００３】しかしながら、日本間の障子、引戸、扉は美的要素が高く内側に和紙などを用いる関係上費用的に見ても高価となり、上品であるだけに強度は決して頑固なものとは言えない。現代建築の特徴ともなっている和洋折衷の一戸建住宅も増え、部屋の仕切りに戸襖を使用する傾向も増えているように見受けられる。しかしながら従来の戸襖は襖紙の中は、表裏合板で形成されており、比較的重く通気性はない。【０００４】現代の建築方法の中にあって、建具としての障子、引戸、扉の構造については幾多の構造物があり、比較的厚手の一枚板、即ちそれらの材質としてベニヤ板等の合板、コルクからなる圧縮板、石膏板等があり、中央に障子桟のような格子桟を挟んで薄手の板を表裏に収めたもの、及び両薄手の板中央が単なる空間となっているもの等多種に亘っている。それらにおいても同様に空気の透過性はない。【０００５】密閉型の洋風住宅は換気のための換気扇やエアコンを必要とし、臭気などのこもる和風の一般家庭では、障子や襖での通気、換気を計ったり、木炭を部屋の床の間や玄関、下駄箱等に置いて消臭を計っている情景を最近良く見かける事がある。【０００６】従来品で戸襖ではなく衝立・屏風として木炭を組み込んだものが知られているが、このものは、木炭の切株の年輪を装飾的効果として表す目的で額に入れて置くもので、木炭の機能としての通気性、消臭性、殺菌性などを意図して製作されたものではない（特許文献６参照）。【０００７】従来の建具は一般的には天然木材より作られており、指物大工等の高度な技術を有する熟練した大工が主として天然木材より部材を製作して組立てを行なうことにより障子、引戸、ドアー、欄干、扉、フェンス、パーティション等の建具製品としていた。そのため個々の製品には技を活かした格調高いものがある。【０００８】プラスチック製の格子状基本ユニットを接続棒にて連続した形状に結合することにより、大形で、曲線部、凹凸等の自由なデザインが任意に形成でき、しかも大量生産が可能な組立格子ユニット製建具を提供するために、プラスチック製の格子状基本ユニット及び格子状基本ユニット間の格子の裏面側に凹溝のリブ部と該リブ部の内側に突起を設け、該リブ部の突起に相嵌合する窪みを有した接続棒にて複数個の格子状基本ユニットを結合一体化した内枠に、外枠をはめ込んで形成した組立格子ユニット製建具が提案されている（特許文献１参照）。【０００９】格子状型枠の片面に裏打材を設けたパネル材であって、家具や建具として利用できる軽量で安価な多用途のパネル材が得られ、特に他の片面に化粧板を設けたパネル材は家具、建具また建築の内外壁板や天井板として利用価値が大きいことが知られている（特許文献２参照）。【００１０】一般住宅に使用する建具である戸襖として、通気性、消臭性を備えていることを特徴として、戸襖の構造において、戸襖の内部に、一枚又は複数の有孔板を備え、最表面に襖紙を貼着した戸襖であって、有孔板の全面積に対して約１０％となるように直径２．０〜３．０ｃｍの円形の孔をあけ、その孔には顆粒状の炭素粉と耐熱性接着剤を混合した詰物を充填して充填炭素層として収め、戸襖の周囲を木枠で囲い、外周を襖化粧枠で整形したことを特徴とする、通気性と消臭性を備えた戸襖が提案されている（特許文献３参照）。
しかし芳香性、殺菌性を持つ木材製棒状格子を組み立てた立体格子組子によって製作された機能性仕切り部材は存在していない。
【先行技術文献】
【特許文献】
【００１１】
【特許文献１】実用新案登録第３０４２００５号
【特許文献２】実用新案登録第３０００３６２号
【特許文献３】実用新案登録第３１１７００３号
【特許文献４】実用新案登録第３０４２００５号
【特許文献５】特開平１１−２８７０７４号
【特許文献６】特開平１１−３４０９１０号
【考案が解決しようとする課題】
【００１２】上記の天然木材製のデザイン的建具類、あるいはパーティション類は、次の理由で材料の点から大量生産にはほど遠い状況にあった。即ち、材料の吟味並びに大工工事に高度な技術と熟練が必要であると言われている。
１）天然木素材の欠点として反り、曲がり、腐食、カビ等が発生すること。
２）建具などのパーティションを製作出来る職人は長期間による修行が必要であるため熟練工が少なくなり、従って製品が高価であること。
３）パーティションでの建具類の内枠は無垢で肉盗み等がないため重く、取扱いにくく、建具類の内枠は外枠を含めた一体物であるため大形品となり取扱にくいこと。
等が上げられる。
【００１３】本考案は上述のような課題に対処すべく鋭意検討の結果、提案するに至ったもので、木製の格子状基本ユニットを接続棒にて連続した形状に結合することにより、大形で、曲線部、凹凸等の自由なデザインが任意に形成でき、しかも比較的安価に大量生産が可能な組立格子ユニット製パーティションを提供することを目的とするものである。
【００１４】従来建具や衝立やパーティションなど家具としては木製のものが用いられていたが、すべて無垢の木材で行うと高価になり、且つ重量的にも大きく扱いにくいという難点があった。特に住宅用のパーティションなどの家具としての吊戸棚や建具等、建物に直接組み付けられる造作家具は現場で寸法を合わせてから部材を切断して準備するものであるが、従来の材料を用いた製作手順では製作時間もかかりコストも高いものであった。
【００１５】間取りなどが和風の住宅や障子を使用している芳香性、殺菌性を持つ木材製棒状格子を組み立てた建具を持つ和洋折衷の住宅に好適な現代建築に沿った建具や衝立やパーティションとしての仕切り具を開発する事を課題として成されたもので、特徴として、安価、軽量で強度に優れ、換気機能を持ち、且つ住居に発生する特有の臭気を吸収し、芳香性、殺菌性も具備する仕切り具を開発したものである。
【課題を解決するための手段】
【００１６】芳香性、殺菌性を持つ木材製棒状格子を組み立てた立方体を縦横二方向に１０〜１００組連続的な構造に形成して、前記立方体の縦一方向の中間位置に正方体の連続格子体を組み込み、立方体の中心位置に正方体の格子交差点となるようにして、当該交差点から連結していない棒状格子を立体体外面の同位置まで張出した状態の格子状基本組子ユニットであって、前記格子状基本組子ユニットを幅方向に連続的に１〜３ユニットに構成された格子組子構成体にして、これら各ユニットを縦横上下に使用される基本組子ユニットの幅を枠体によって固定されている格子組子構成体とからなる組立格子ユニット立体組子を表面状態に構成されている立体格子組子による機能性仕切り部材である。
【００１７】芳香性、殺菌性を持つ木材製棒状格子は、材料としてヒバ、ヒノキ、スギであって、４〜１２ｍｍの角棒材の各格子の表面に木目調絞付けを行い、結合した連続面として継目が目立たないように棒状格子を連続的に組み立てている。
【００１８】連続的組み立て立方体は、一つの組み体の立方体を一辺２０〜８０ｍｍの寸法の立方形であって、中間部に正方形を組み立てた状態でなっている格子状基本組子ユニットであって、結合した連続面として継目が目立たない立方体組み立て組子の状態にして、格子の交差部に位置する接続角棒には、相嵌合するような切欠き部を二面で形成されている。
【００１９】基本組子ユニットを組み立てる場合には、格子状基本組子ユニット間の格子表面側に凹溝のリブ部と反対側の格子裏面に掘り込み溝のリブ部を設け、該リブ部同志を相嵌合できる接続格子角棒にて連続的格子状基本組子ユニットの各格子角棒をはめ込んで形成し、結合一体化している。
【００２０】立体格子組子による機能性仕切り部材は、部屋内での仕切りの役目を果たすとともに、通気性を持たせる上に、芳香性を発生できる仕切り部材で構成された長さ９００〜１００００ｍｍ、高さ１０００〜２５００ｍｍの形状である障子、引戸、ドアー、欄干、扉、フェンス、パーティション、衝立、又は建具に使用できる。
【考案の効果】
【００２１】本考案に係る立体格子組子による機能性仕切り部材は、格子状基本ユニットの格子に凹溝のリブ部を設け、該リブ部に相嵌合する窪み部を有した接続角棒にて複数個の格子状基本ユニットを連続的に結合一体化した構成により、比較的容易に成形加工出来る木製製の立体格子組子による機能性仕切り部材になり、外観的には凹凸等を持つ、通気性を思わせる自由なデザインを形成でき、更に天然の芳香性、殺菌性を持つ木材を使用するために、雰囲気で木の香りになって、防カビ、防臭、殺菌の効果を持たさすとともに、本体には腐食、カビ等の心配がなく、軽くしかも安価である等の効果が期待できる。
【００２２】このように本考案によれば、立体格子組子による機能性仕切り部材は、工場で既製品化生産できるので、軽量・品質均一な多用途両面立体格子組子パネル材が安価に得られる。さらにこのような両面立体格子組子パネルはた障子、引戸、ドアー、欄干、扉、フェンス、パーティション家具、建具、建築資材等として使用範囲もかなり多用途にわたるので、工期の短縮、コストダウンになり、建設、住宅、家具産業界の貢献に役立つ。
【図面の簡単な説明】
【００２３】
【図１】本考案立体格子組子による機能性仕切り部材の一実施例を示す斜視図である。
【図２】立体格子組子による機能性仕切り部材を示す構造説明図である。Ａ：構造斜視図、Ｂ：平面図、
【図３】立体格子組子による機能性仕切り部材の構造組み立て図である。Ａ：組み立て図、Ｂ：部品の図  Ｃ：完成図
【図４】立体格子組子による機能性仕切り部材の他の例を示すパーティションの図である。
【図５】立体格子組子による機能性仕切り部材のさらに他の例を示す引戸の図である。
【考案を実施するための形態】
【００２４】以下、添付図面を参照しながら本考案の実施の形態を詳細に説明する。
本発明は、立方体である芳香性、殺菌性を持つ木材製棒状格子を、連続組み立て立方体を縦横１０〜５０組連続的な構造に形成して、前記立方体の縦一方向の中間位置に正方体の連続格子体を組み込み、立方体の中心位置に格子交差からの連結していない棒状格子を立体体外面の同位置まで張出している格子状基本ユニットであって、前記格子状基本ユニットを連続的に１〜３ユニットから構成され格子構成体であって、これら各ユニットを縦横上下に使用される基本ユニット幅の枠体で固定されている格子構成体とからなる組立格子ユニット立体組子を表面に構成されている。
【実施例１】
【００２５】図１に示すように、衝立として芳香性、殺菌性を持つ木材製棒状格子は、材料としてヒバであって、９ｍｍの角材の各格子の表面に木目調絞付けを行い、結合した連続面として継目が目立たないようにした。【００２７】連続組み立て立方体は、一つの組み体の立方体を一辺５４ｍｍの寸法の  立方形であって、中間部に正方形を組み立てた状態でなっている格子状基本ユニットであって、結合した連続面として継目が目立たない立体組み立て組子の状態にして、格子の交差部に位置する接続棒には、相嵌合するような切欠きが形成した。【００２８】立体格子組子による機能性仕切り部材は、部屋内での仕切りの役目を果たすとともに、通気性を持たせる上に、芳香性を発生できる仕切り部材で構成された長さ３５００ｍｍ、高さ２３００ｍｍである衝立の外周に１００ｍｍの枠を施し、脚部を取り付けた衝立に使用した。
この結果、ヒバの芳香性を活かしつつ衝立の役目を果たした。
【実施例２】
【００２９】図５で示すように、引戸として、立方体である芳香性、殺菌性を持つ木材製棒状格子を、連続組み立て立方体を縦４３横１６組連続的な構造に形成して、前記立方体の縦一方向の中間位置に正方体の連続格子体を組み込み、立方体の中心位置に格子交差からの連結していない棒状格子を立体体外面の同位置まで張出している格子状基本ユニットであって、前記格子状基本ユニットを連続的に１ユニットから構成され格子構成体であって、これら各ユニットを縦横上下に使用される基本ユニット幅の枠体で固定されている格子構成体とからなる組立格子ユニット立体組子を表面に構成した。【００３０】芳香性、殺菌性を持つ木材製棒状格子は、材料としてスギであって、９ｍｍの角材の各格子の表面に木目調絞付けを行い、結合した連続面として継目が目立たないようにした。【００３１】連続組み立て立方体は、一つの組み体の立方体を一辺５４ｍｍの寸法の  立方形であって、中間部に正方形を組み立てた状態でなっている格子状基本ユニットであって、結合した連続面として継目が目立たない立体組み立て組子の状態にして、格子の交差部に位置する接続棒には、相嵌合するような切欠きが形成した。【００３２】立体格子組子による機能性仕切り部材は、部屋内での仕切りの役目を果たすとともに、通気性を持たせる上に、芳香性を発生できる仕切り部材で構成された長さ１８００ｍｍ、高さ２５００ｍｍである引戸に使用した。
この結果、スギの芳香性を活かしつつ引戸の役目を果たした。
【実施例３】
【００３３】図４で示す通りパーティションは、立方体である芳香性、殺菌性を持つ木材製棒状格子を、連続組み立て立方体を縦３２横１６組連続的な構造に形成して、前記立方体の縦一方向の中間位置に正方体の連続格子体を組み込み、立方体の中心位置に格子交差からの連結していない棒状格子を立体体外面の同位置まで張出している格子状基本ユニットであって、前記格子状基本ユニットを連続的に１ユニットから構成され格子構成体であって、これら各ユニットを縦横上下に使用される基本ユニット幅の枠体で固定されている格子構成体とからなる組立格子ユニット立体組子を表面に構成した。【００３４】芳香性、殺菌性を持つ木材製棒状格子は、材料としてヒノキ、であって、７ｍｍの角材の各格子の表面に木目調絞付けを行い、結合した連続面として継目が目立たないようにした。【００３５】連続組み立て立方体は、一つの組み体の立方体を一辺４０ｍｍの寸法の  立方形であって、中間部に正方形を組み立てた状態でなっている格子状基本ユニットであって、結合した連続面として継目が目立たない立体組み立て組子の状態にして、格子の交差部に位置する接続棒には、相嵌合するような切欠きが形成した。【００３６】立体格子組子による機能性仕切り部材は、部屋内での仕切りの役目を果たすとともに、通気性を持たせる上に、芳香性を発生できる仕切り部材で構成された長さ９００ｍｍ、高さ１８００ｍｍであるパーティション、に使用した。
この結果、ヒノキの芳香性を活かしつつパーティションの役目を果たした。
【符号の説明】
【００３７】ａ、ｂ、ｃ、ｄ  組子の格子部品
１  格子
２  組子
３  パネル
４  衝立
５  パーティション
６  引戸
７  枠体
８  脚部
９  立体組子ユニット
１０  交差
【図１】
0003192392.tif 000003
【図２】
0003192392.tif 000004
【図３】
0003192392.tif 000005
【図４】
0003192392.tif 000006
【図５】
0003192392.tif 000007